(57)【要約】【課題】電源切断後に電源が再投入された際のウォーミングアップを適正な時間に規定する。【解決手段】ウォーミングアップに必要とされる基準時間を記憶するＲＯＭ１７と、電源が投入された投入時刻からの経過時間Ｉを計測するタイマ１４と、経過時間Ｉが基準時間Ｉｓに到達したか否かの判別処理を行い経過時間Ｉが基準時間Ｉｓに到達したときにウォーミングアップの完了を表示部１５に表示させる演算制御部１６とを備えた漏れ電流測定装置１であって、ＲＯＭ１７は、電源が切断された切断時刻、および切断時刻における経過時間Ｉを記憶可能に構成され、演算制御部１６は、電源が切断されたときに切断時刻および経過時間ＩをＲＯＭ１７に記憶させ、切断時刻から所定時間内に電源が再投入されたときに切断時刻における経過時間Ｉをその再投入時刻における新たな経過時間として判別処理を行う。【選択図】　　　　図１
2004125729.tif 000002
【特許請求の範囲】
【請求項１】
所定の測定確度を確保するためのウォーミングアップに必要とされる基準時間を記憶する第１の記憶部と、電源が投入された投入時刻からの経過時間を計測するタイマと、前記経過時間が前記基準時間に到達したか否かを判別する判別処理を行うと共に当該経過時間が当該基準時間に到達したときに前記ウォーミングアップの完了を報知部に報知させる制御部とを備えた電子機器であって、
前記電源が切断された切断時刻、および当該切断時刻における前記経過時間を記憶可能な第２の記憶部を備え、
前記制御部は、前記電源が切断されたときに前記切断時刻および前記経過時間を前記第２の記憶部に記憶させ、当該切断時刻から所定時間内に前記電源が再投入されたときに当該切断時刻における前記経過時間をその再投入時刻における新たな前記経過時間として前記判別処理を行う電子機器。
【請求項２】
所定の測定確度を確保するためのウォーミングアップに必要とされる基準時間を記憶する第１の記憶部と、電源が投入された投入時刻からの経過時間を計測するタイマと、前記経過時間が前記基準時間に到達したか否かを判別する判別処理を行うと共に当該経過時間が当該基準時間に到達したときに前記ウォーミングアップの完了を報知部に報知させる制御部とを備えた電子機器であって、
前記電源が切断された切断時刻、および当該切断時刻における前記経過時間を記憶可能な第２の記憶部を備え、
前記制御部は、前記電源が切断されたときに前記切断時刻および前記経過時間を前記第２の記憶部に記憶させ、当該切断時刻から所定時間内に前記電源が再投入されたときに、当該切断時刻における前記経過時間および前記基準時間のいずれか短い時間を予め決められた短縮率で短縮させた経過時間をその再投入時刻における新たな前記経過時間として前記判別処理を行う電子機器。
【請求項３】
前記第１の記憶部は、互いに長さの異なる複数の前記所定時間および当該各所定時間にそれぞれ対応させた複数の前記短縮率を記憶し、
前記制御部は、前記切断時刻から前記再投入時刻までの時間を超えかつ最短の前記所定時間を前記複数の所定時間の中から特定すると共に当該特定した所定時間に対応する前記短縮率でいずれか短い時間を短縮させる請求項２記載の電子機器。
【発明の詳細な説明】
【０００１】
【発明の属する技術分野】
本発明は、所定の測定確度を確保するためのウォーミングアップに必要とされる基準時間が予め規定されると共に、電源投入時刻からの経過時間が基準時間に到達したときにウォーミングアップの完了を報知する電子機器に関するものである。
【０００２】
【従来の技術】
一般的に、測定装置の測定確度を確保するためには、予め規定された基準時間（例えば、機種によっては数分から数時間）以上のウォーミングアップが必要とされる。この種のウォーミングアップの基準時間が予め規定されている測定装置では、電源投入時刻からの経過時間をストップウォッチ等によって計測して経過時間が基準時間に到達したか否かを長時間に亘って監視する必要があるため、作業が煩雑であるという問題点が存在する。この問題点を解決する手段として、実開平４−５５５７３号公報には、ウォームアップ（ウォーミングアップ）の完了を表示するディジタルオシロスコープ（電子機器）が開示されている。このディジタルオシロスコープは、電源投入時刻からの経過時間を計測すると共にその経過時間がセット時間（基準時間）に到達したときにウォームアップ完了信号を出力するタイマ部７と、タイマ部７から出力されたウォームアップ完了信号に基づいてウォームアップ完了を表示する表示部６とを備え、ウォームアップ完了が自動的に表示されるように構成されている。したがって、このディジタルオシロスコープでは、煩雑な経過時間の監視を不要にしつつウォームアップ完了がユーザーに確実に報知される。
【０００３】
【特許文献１】
実開平４−５５５７３号公報（第１頁）
【０００４】
【発明が解決しようとする課題】
ところが、この従来の電子機器には、以下の問題点がある。すなわち、従来の電子機器では、電源投入時刻を常に起算時として経過時間を計測して、その経過時間が基準時間に到達したときにウォームアップ完了信号を出力している。このため、例えば、ウォームアップ中に電源を切断する事情が生じて一旦切断し、その後に電源を再投入した際には、たとえ電源切断後に瞬時に再投入したとしても、既に計測した計測時間とは無関係に電源再投入時刻から新たな経過時間が計測されることとなる。したがって、最初の電源投入時刻から電源切断時刻までのウォームアップが無駄となるため、ウォームアップに要する時間がその分だけ長時間化しているという問題点がある。
【０００５】
本発明は、かかる問題点に鑑みてなされたものであり、電源切断後に電源が再投入された際のウォーミングアップを適正な時間に規定し得る電子機器を提供することを主目的とする。
【０００６】
【課題を解決するための手段】
上記目的を達成すべく請求項１記載の電子機器は、所定の測定確度を確保するためのウォーミングアップに必要とされる基準時間を記憶する第１の記憶部と、電源が投入された投入時刻からの経過時間を計測するタイマと、前記経過時間が前記基準時間に到達したか否かを判別する判別処理を行うと共に当該経過時間が当該基準時間に到達したときに前記ウォーミングアップの完了を報知部に報知させる制御部とを備えた電子機器であって、前記電源が切断された切断時刻、および当該切断時刻における前記経過時間を記憶可能な第２の記憶部を備え、前記制御部は、前記電源が切断されたときに前記切断時刻および前記経過時間を前記第２の記憶部に記憶させ、当該切断時刻から所定時間内に前記電源が再投入されたときに当該切断時刻における前記経過時間をその再投入時刻における新たな前記経過時間として前記判別処理を行う。
【０００７】
請求項２記載の電子機器は、所定の測定確度を確保するためのウォーミングアップに必要とされる基準時間を記憶する第１の記憶部と、電源が投入された投入時刻からの経過時間を計測するタイマと、前記経過時間が前記基準時間に到達したか否かを判別する判別処理を行うと共に当該経過時間が当該基準時間に到達したときに前記ウォーミングアップの完了を報知部に報知させる制御部とを備えた電子機器であって、前記電源が切断された切断時刻、および当該切断時刻における前記経過時間を記憶可能な第２の記憶部を備え、前記制御部は、前記電源が切断されたときに前記切断時刻および前記経過時間を前記第２の記憶部に記憶させ、当該切断時刻から所定時間内に前記電源が再投入されたときに、当該切断時刻における前記経過時間および前記基準時間のいずれか短い時間を予め決められた短縮率で短縮させた経過時間をその再投入時刻における新たな前記経過時間として前記判別処理を行う。この場合、本発明における「短縮率」には、前記経過時間および前記基準時間のいずれか短い時間に所定の割合を乗じて短縮する短縮方式、所定の固定時間を減じて短縮する短縮方式、および両短縮方式を組み合わせた短縮方式などに従って短縮する場合の各種短縮率が含まれる。
【０００８】
請求項３記載の電子機器は、請求項２記載の電子機器において、前記第１の記憶部は、互いに長さの異なる複数の前記所定時間および当該各所定時間にそれぞれ対応させた複数の前記短縮率を記憶し、前記制御部は、前記切断時刻から前記再投入時刻までの時間を超えかつ最短の前記所定時間を前記複数の所定時間の中から特定すると共に当該特定した所定時間に対応する前記短縮率でいずれか短い時間を短縮させる。
【０００９】
【発明の実施の形態】
以下、添付図面を参照して、本発明に係る電子機器の好適な実施の形態について説明する。
【００１０】
最初に、漏れ電流測定装置（電子機器）１の構成について、図面を参照して説明する。
【００１１】
漏れ電流測定装置１は、図１に示すように、例えば測定対象体ＭＳの漏れ電流を測定可能に構成に構成されている。また、漏れ電流測定装置１は、電源投入時刻からの経過時間Ｉが予め規定された基準時間Ｉｓに到達したときにウォーミングアップ完了を報知可能に構成されている。具体的には、漏れ電流測定装置１は、同図に示すように、電圧検出部１１、Ａ／Ｄ変換部１２、操作部１３、タイマ１４、表示部１５、演算制御部（制御部）１６、ＲＯＭ１７、ＲＡＭ１８およびＲＯＭ１９を備えて構成されている。
【００１２】
電圧検出部１１は、電流検出用抵抗（模擬人体インピーダンス）と、電流検出用抵抗の両端に発生した電圧を所定の利得で増幅する増幅回路とを備えている（いずれも図示せず）。Ａ／Ｄ変換部１２は、電圧検出部１１によって検出された電圧をアナログ−ディジタル変換して生成した電圧値データを演算制御部１６に出力する。
【００１３】
操作部１３は、漏れ電流測定時の条件設定キーや電源スイッチなどが配設されて構成されている。タイマ１４は、演算制御部１６によって出力される制御信号に従い、電源投入時刻からの経過時間Ｉを所定時間（例えば１秒）刻みで計測すると共に、計測した経過時間Ｉと、経過時間Ｉを計測した計測時刻Ｔとに関する情報を出力する。表示部１５は、本発明における報知部に相当し、例えば液晶パネルを備えて構成され、ウォーミングアップ完了を表す文字や記号、および測定された漏れ電流値などを表示する。演算制御部１６は、漏れ電流測定装置１を統括的に制御すると共に、Ａ／Ｄ変換部１２によって出力された電圧値データで示される電圧値と電圧検出部１１内の電流検出用抵抗の抵抗値とに基づいて漏れ電流値を演算して測定すると共にその測定値を表示部１５に表示させる。また、演算制御部１６は、電源が投入されたときに後述する基準時間到達判別処理（本発明における判別処理）３０を実行する。具体的には、この基準時間到達判別処理３０では、演算制御部１６は、タイマ１４によって計測された経過時間Ｉおよび計測時刻Ｔに基づいて、予め決められた短縮率で経過時間Ｉを短縮させて新たな経過時間Ｉを算出すると共にその経過時間Ｉが基準時間Ｉｓに到達したか否かを判別して、到達したと判別したときにウォーミングアップ完了を表示部１５に表示させる。
【００１４】
ＲＯＭ１７は、本発明における第１および第２の記憶部に相当し、ＥＰＲＯＭ等の不揮発性メモリで構成され、漏れ電流測定装置１の測定確度を確保するためのウォーミングアップに必要とされる基準時間Ｉｓを記憶する。また、ＲＯＭ１７は、演算制御部１６によって転送されたタイマ１４から出力される経過時間Ｉおよび計測時刻Ｔを記憶する。この場合、ＲＯＭ１７は、演算制御部１６によって経過時間Ｉおよび計測時刻Ｔが出力（転送）される毎に両情報（Ｉ，Ｔ）をそれぞれ書き換えて記憶する。したがって、ＲＯＭ１７は、タイマ１４（演算制御部１６）によって最後（最新）に出力された両情報（Ｉ，Ｔ）をそれぞれ記憶する。さらに、ＲＯＭ１７は、補正判定時間Ｉｊ１〜Ｉｊ３（本発明における所定時間に相当する。以下区別しないときは単に「補正判定時間Ｉｊ」ともいう）、および各補正判定時間Ｉｊ１〜Ｉｊ３にそれぞれ対応する係数Ｃ１〜Ｃ３（本発明における短縮率に相当する。以下区別しないときは単に「係数Ｃ」ともいう）を記憶する。ここで、補正判定時間Ｉｊ１〜Ｉｊ３は、演算制御部１６が基準時間到達判別処理３０を実行する際に、経過時間Ｉを補正するか否かの判別処理に使用される。また、係数Ｃ１〜Ｃ３は、経過時間Ｉを補正して補正経過時間Ｉａを算出する際に使用される。本実施例では、例えば、補正判定時間Ｉｊ１〜Ｉｊ３として、３分、２分および１分がそれぞれ規定され、係数Ｃ１〜Ｃ３として６０％、８０％および１００％が各補正判定時間Ｉｊ１〜Ｉｊ３にそれぞれ対応して規定されている。ＲＡＭ１８は、Ａ／Ｄ変換部１２によって出力された電圧データや演算制御部１６によって演算された漏れ電流の電流値などを一時的に記憶する。ＲＯＭ１９は、演算制御部１６によって実行される各種制御プログラムや、ウォーミングアップ完了などを表示させる際の文字データおよび図形データなどを記憶する。
【００１５】
次に、漏れ電流測定装置１の全体的な動作について、図面を参照して説明する。
【００１６】
最初に、前回の使用から一定期間（例えば１日以上）が経過した状態で漏れ電流測定装置１を使用する際の全体的な動作について、図２を参照して説明する。
【００１７】
この漏れ電流測定装置１では、電源が投入された際に、各構成要素に電源が供給されてウォーミングアップが開始される。この際に、演算制御部１６が、図２に示す基準時間到達判別処理３０を実行する。この基準時間到達判別処理３０では、演算制御部１６は、まず、ＲＯＭ１７に記憶されている計測時刻Ｔおよび経過時間Ｉを読み込む（ステップ３１）。この場合、ＲＯＭ１７には、前回の使用終了時において電源が切断される直前にタイマ１４によって出力された計測時刻Ｔおよび経過時間Ｉが記憶されている。したがって、読み込んだ計測時刻Ｔ（以下、読み込んだ計測時刻Ｔを他の計測時刻Ｔと区別するときは「計測時刻Ｔｅ」ともいう）は、前回の使用終了時において電源が切断された時刻とほぼ同時刻（この例では最大１秒前）を表し、経過時間Ｉ（以下、読み込んだ経過時間Ｉを他の経過時間Ｉと区別するときは「経過時間Ｉｅ」ともいう）は、前回の使用終了時において電源が切断された時刻とほぼ同時刻における経過時間を表している。次に、演算制御部１６は、現在時刻（電源が投入された時刻）が計測時刻Ｔｅから３分（補正判定時間Ｉｊ１）以内か否かを判別する（ステップ３２）。この例では、現在時刻が計測時刻Ｔｅから１日以上経過しているため、演算制御部１６は、３分を超えていると判別してステップ３３を実行する。
【００１８】
このステップ３３では、演算制御部１６は、タイマ１４の計測による経過時間Ｉを０秒に初期化する。つまり、等価的には、演算制御部１６は、経過時間Ｉｅに０％を乗じた経過時間を新たな経過時間Ｉとする。次いで、表示制御部１６は、電源投入時刻（ウォーミングアップの開始時刻）からの経過時間Ｉの計測を開始させるための制御信号をタイマ１４に出力する（ステップ３４）。この際に、演算制御部１６は、「ウォーミングアップ中」の文字または記号を表示部１５に表示させる。この場合、ウォーミングアップが終了するまでの残り時間（基準時間Ｉｓと経過時間Ｉとの差）や経過時間Ｉを表示させることもできる。この後、タイマ１４が、所定時間（例えば１秒）刻みで経過時間Ｉを計測して、経過時間Ｉ、およびその経過時間Ｉを計測した計測時刻Ｔを演算制御部１６に出力する。次に、演算制御部１６は、入力した経過時間Ｉおよび計測時刻ＴをＲＯＭ１７に記憶させる（ステップ３５）。この場合、演算制御部１６は、両情報（Ｉ，Ｔ）の出力毎に、既に記憶されている両情報（Ｉ，Ｔ）に対して、新たに出力された両情報（Ｉ，Ｔ）を書き換えて（上書きして）ＲＯＭ１７に記憶させる。したがって、ＲＯＭ１７には、タイマ１４によって最後（最新）に出力された経過時間Ｉおよび計測時刻Ｔが記憶される。
【００１９】
次いで、演算制御部１６は、ＲＯＭ１７に記憶されている基準時間Ｉｓ（例えば３０分）と、出力された経過時間Ｉとを比較して、経過時間Ｉが基準時間Ｉｓに到達したか否かを判別する（ステップ３６）。この際に、演算制御部１６は、経過時間Ｉが基準時間Ｉｓに到達していないときには、経過時間Ｉの出力毎にステップ３５，３６を繰り返して実行する。一方、経過時間Ｉが基準時間Ｉｓに到達したときには、演算制御部１６は、「ウォーミングアップ中」の表示に代えて、「ウォーミングアップ完了」の文字または記号を表示部１５に表示させる（ステップ３７）。これにより、ウォーミングアップ完了が報知される。続いて、漏れ電流測定を開始する指示信号が操作部１３を介して入力された際には、演算制御部１６は、所定の測定手順に従って漏れ電流の測定を開始する。なお、経過時間Ｉが基準時間Ｉｓに到達するまで漏れ電流の測定開始を制限する構成を採用することもできる。
【００２０】
次に、ウォーミングアップ中に電源が切断され、その後に、電源が再投入されてウォーミングアップを再開する際の漏れ電流測定装置１の全体的な動作について、図２を参照して説明する。
【００２１】
ウォーミングアップ中（つまり、電源投入時刻から基準時間Ｉｓを経過する時刻よりも前の時刻（一例として、電源投入時刻から２０分を経過した時刻））において、例えば、測定場所を変更する等の事情で電源を切断したときには、必然的にウォーミングアップが中断され、その後に測定場所を変更して電源が再投入されたときには、ウォーミングアップが自動的に再開（開始）される。この際に、演算制御部１６は、上記した基準時間到達判別処理３０を実行して、計測時刻Ｔ（計測時刻Ｔｅ）および経過時間Ｉ（経過時間Ｉｅ）を読み込む（ステップ３１）。この場合、ＲＯＭ１７には、前述したように、タイマ１４によって最後に出力された計測時刻Ｔおよび経過時間Ｉが記憶されている。したがって、読み込んだ計測時刻Ｔｅおよび経過時間Ｉｅは、ウォーミングアップが中断された時刻（電源切断時刻）とほぼ同じ時刻（この例では最大１秒前）およびその時刻における経過時間（この例では２０分）をそれぞれ表している。
【００２２】
次に、演算制御部１６は、読み込んだ計測時刻Ｔｅと現在時刻（電源の再投入時刻）とを比較して、現在時刻が計測時刻Ｔｅから３分（補正判定時間Ｉｊ１）以内か否かを判別する（ステップ３２）。この際に、現在時刻が３分を経過しているときには、２０分間（経過時間Ｉｅ）で上昇した漏れ電流測定装置１の各構成要素の温度が低下しているため、ウォーミングアップを最初から実行すべきであるとして、演算制御部１６は、前述したステップ３３〜３７を実行する。一方、現在時刻が計測時刻Ｔｅから３分以内のときには、現在時刻が計測時刻Ｔｅから２分（補正判定時間Ｉｊ２）以内か否かを判別する（ステップ３８）。この際に、現在時刻が２分を経過しているときには、２０分間で上昇した各構成要素の温度がウォーミングアップを最初から実行するほどには低下していないため、ウォーミングアップの時間を短縮すべきであるとして、演算制御部１６は、経過時間Ｉｅ（この例では２０分）に６０％（係数Ｃ１）を乗じて補正経過時間Ｉａ（この例では１２分）を算出して（ステップ３９）ＲＯＭ１７に記憶させ、その後にステップ４３を実行する。
【００２３】
一方、現在時刻が計測時刻Ｔｅから２分以内のときには、現在時刻が計測時刻Ｔｅから１分（補正判定時間Ｉｊ３）以内か否かを判別する（ステップ４０）。この際に、現在時刻が１分を経過しているときには、現在時刻が２分を経過しているときよりも各構成要素の温度低下が少ないため、ウォーミングアップの時間をさらに短縮すべきであるとして、演算制御部１６は、経過時間Ｉｅに８０％（係数Ｃ２）を乗じて補正経過時間Ｉａ（この例では１６分）を算出して（ステップ４１）ＲＯＭ１７に記憶させ、その後にステップ４３を実行する。一方、現在時刻が計測時刻Ｔｅから１分以内のときには、２０分間に上昇した各構成要素の温度がほぼ低下しない状態に保たれているため、電源の再投入時刻からのウォーミングアップの時間が既に２０分経過しているとみなすべきであるとして、経過時間Ｉｅに１００％（係数Ｃ３）を乗じて補正経過時間Ｉａを算出して（ステップ４２）ＲＯＭ１７に記憶させる。この場合、ステップ３２，３８〜４２を実行することにより、計測時刻Ｔｅから現在時刻までの時間（つまり、電源の切断時刻から再投入時刻までの時間）を超えかつ最短の補正判定時間Ｉｊが特定され、特定された補正判定時間Ｉｊに対応する係数Ｃを乗算することで補正経過時間Ｉａが算出される。このため、計測時刻Ｔｅから現在時刻（再投入時刻）までの時間に応じて、測定確度を確保し得る最適な補正経過時間Ｉａが算出される。次いで、演算制御部１６は、タイマ１４の計測値としての経過時間Ｉを補正経過時間Ｉａに初期化する（ステップ４３）。続いて、表示制御部１６は、電源投入時刻（ウォーミングアップの開始時刻）からの経過時間Ｉを計測させるための制御信号をタイマ１４に出力すると共に（ステップ３４）、「ウォーミングアップ中」の文字または記号を表示部１５に表示させる。
【００２４】
続いて、演算制御部１６は、タイマ１４によって出力された経過時間Ｉおよび計測時刻ＴをＲＯＭ１７に記憶させた後に（ステップ３５）、経過時間Ｉと基準時間Ｉｓとを比較して経過時間Ｉが基準時間Ｉｓに到達したか否かを判別する（ステップ３６）。この際に、経過時間Ｉが基準時間Ｉｓに到達していないと判別したときには、演算制御部１６は、経過時間Ｉの出力毎にステップ３５，３６を繰り返して実行する。一方、経過時間Ｉが基準時間Ｉｓに到達したと判別したときには、演算制御部１６は、「ウォーミングアップ中」の表示に代えて、「ウォーミングアップ完了」の文字または記号を表示部１５に表示させる（ステップ３７）。これにより、ウォーミングアップ完了が報知される。この場合、タイマ１４による計測値としての経過時間Ｉを補正経過時間Ｉａで初期化することで、ウォーミングアップ完了までの時間が補正経過時間Ｉａの分だけ短縮されて適正な時間に規定されている。
【００２５】
このように、この漏れ電流測定装置１によれば、電源の切断時刻から補正判定時間Ｉｊ内に電源が再投入されたときに、演算制御部１６が補正経過時間Ｉａを算出すると共にその補正経過時間Ｉａを再投入時刻における新たな経過時間Ｉとして、その経過時間Ｉが基準時間Ｉｓに到達したときにウォーミングアップの完了を表示部１５に表示させることにより、電源を切断して短時間のうちに再投入する使用形態において、電源の再投入時刻からウォーミングアップを最初からし直す従来の電子機器と比較して、測定確度を低下させることなく、ウォーミングアップに要する時間を補正経過時間Ｉａ分だけ短縮して適正な時間に規定することができる。したがって、測定作業の効率化を図ることができる。
【００２６】
また、演算制御部１６が切断時刻から再投入時刻までの時間を超えかつ最短の補正判定時間Ｉｊを特定して特定した補正判定時間Ｉｊに対応する補正経過時間Ｉａを算出することにより、計測時刻Ｔｅから現在時刻までの時間に応じた補正経過時間Ｉａ分だけ短縮することができるため、測定確度を確保しつつ、ウォーミングアップに要する時間を最適な時間に規定することができる。
【００２７】
なお、本発明は、上記した本発明の実施の形態に限定されない。例えば、上記した実施の形態では、電子機器として漏れ電流測定装置１を例に挙げて説明したが、本発明は、記録装置や表示装置などの各種測定装置を含むのは勿論のこと、ジェネレータ、校正器および電源等の各種信号発生器のほか、ウォーミングアップを必要とする各種機器に適用が可能である。
【００２８】
また、上記した実施の形態では、ウォーミングアップ中に電源を１回切断したときに基準時間到達判別処理３０を行う例について説明したが、電源を再投入してウォーミングアップ中に電源をさらに何回か切断した場合にも、電源投入後のその都度、基準時間到達判別処理３０を行い得るのは勿論である。加えて、ウォーミングアップ中に電源を切断した例について説明したが、測定を終了して電源を切断し、その後に短時間のうちに電源を再投入して測定を再開する使用形態においても、電源の再投入後のウォーミングアップ時間を短縮して適正な時間に規定することができる。この場合、演算制御部１６は、基準時間到達判別処理３０のステップ３９，４１，４２において、経過時間Ｉｅおよび基準時間Ｉｓのいずれか短い時間に係数Ｃ１〜Ｃ３をそれぞれ乗じて補正経過時間Ｉａを算出する。ここで、例えば、最初の測定（電源を投入してから切断するまで）に１００分を要して電源の切断から再投入までの時間が２分３０秒のときに、上記した実施の形態では、補正経過時間Ｉａが６０分（１００分×６０％）と算出されるため、ウォーミングアップが不足であるにも拘わらず電源の再投入後に直ちにウォーミングアップ完了が表示されることもある。これに対して、この基準時間到達判別処理３０によれば、補正経過時間Ｉａとして１８分（３０分×６０％）が算出される。したがって、この使用形態であってもウォーミングアップ不足を生じさせることなくウォーミングアップ時間を適正な時間に規定することができる。
【００２９】
また、経過時間Ｉｅに係数Ｃを乗じて補正経過時間Ｉａを算出する算出方法に代えて、経過時間Ｉｅから予め規定された固定時間を減じて経過時間Ｉｅを短縮させることによって補正経過時間Ｉａを算出する算出方法を採用することもでき、この構成であっても、上記の基準時間到達判別処理３０と同様にして、ウォーミングアップ不足を生じさせることなくウォーミングアップに要する時間を補正経過時間Ｉａ分だけ短縮して適正な時間に規定することができる。この場合、ＲＯＭ１７は、係数Ｃに代えて各補正判定時間Ｉｊにそれぞれ対応する固定時間を記憶する。また、演算制御部１６は、基準時間到達判別処理３０におけるステップ３９，４１，４２において、経過時間Ｉｅから固定時間を減じて補正経過時間Ｉａを算出する基準時間到達判別処理を実行する。具体的には、例えば、本発明における所定時間としての補正判定時間Ｉｊ１，Ｉｊ２，Ｉｊ３にそれぞれ５分、３分および０分の固定時間をそれぞれ予め対応させる。そして、演算制御部１６は、経過時間Ｉｅが補正判定時間Ｉｊ１を超えるときには、上記ステップ３３において経過時間Ｉを０秒に初期化し、経過時間Ｉｅが補正判定時間Ｉｊ１以内で補正判定時間Ｉｊ２を超えるときには、経過時間Ｉｅから５分を減じて（ステップ３９）、その減じた時間を新たな経過時間Ｉとし（ステップ４３）、経過時間Ｉｅが補正判定時間Ｉｊ２以内で補正判定時間Ｉｊ３を超えるときには、経過時間Ｉｅから３分を減じて（ステップ４１）、その減じた時間を新たな経過時間Ｉとし（ステップ４３）、経過時間Ｉｅが補正判定時間Ｉｊ３以内のときには、経過時間Ｉｅから０分を減じて（ステップ４２）、つまり経過時間Ｉｅそのものを新たな経過時間Ｉとする（ステップ４３）。この場合、経過時間Ｉｅに所定の割合を乗じて短縮する短縮方式と、経過時間Ｉｅから固定の時間を減じて短縮する短縮方式とを併せて実行する方式を採用することもできる。また、本発明は、これらの短縮方式に限定されず、ウォーミングアップ不足を生じさせることなくウォーミングアップ時間を適正な時間に規定することができる限り、任意の短縮方式を採用することができる。
【００３０】
さらに、上記した実施の形態では、３分、２分および１分の３つの補正判定時間Ｉｊを規定した例について説明したが、補正判定時間Ｉｊとしては、１つ以上の任意の数を採用することができ、補正判定時間Ｉｊの長さ、および補正判定時間Ｉｊに対応する係数Ｃについても各電子機器に適した他の値を設定することができる。この場合、補正判定時間Ｉｊを１つに規定したときには、演算制御部１６は、基準時間到達判別処理３０のステップ３８〜４２を省き、かつステップ４３において経過時間Ｉｅ（または、経過時間Ｉｅに固定の割合を乗じた補正経過時間Ｉａ、あるいは経過時間Ｉｅから固定の時間を減じた補正経過時間Ｉａ）でタイマ１４を初期化する。この構成であっても、ウォーミングアップに要する時間を切断時刻における経過時間Ｉｅまたは補正経過時間Ｉａの分だけ短縮することができるため、測定確度を低下させることなく適正な時間に規定することができる。さらに、上記した実施の形態では、ウォーミングアップ完了を表示部１５に文字や記号で表示して報知する例について説明したが、例えば、音声やランプの点灯およびこれらを組み合わせてウォーミングアップ完了を報知する方法を採用することもできる。
【００３１】
【発明の効果】
以上のように、請求項１記載の電子機器によれば、電源の切断時刻から所定時間内に電源が再投入されたときに、切断時刻における経過時間を再投入時刻における新たな経過時間としてその新たな経過時間が基準時間に到達したか否かを判別する判別処理を制御部が実行することにより、電源を切断して短時間のうちに再投入する使用形態において、電源の再投入時刻からウォーミングアップを最初からし直す従来の電子機器と比較して、ウォーミングアップに要する時間を切断時刻における経過時間分だけ短縮することができるため、測定確度を低下させることなくウォーミングアップに要する時間を適正な時間に規定することができる。したがって、測定作業の効率化を図ることができる。
【００３２】
また、請求項２記載の電子機器によれば、制御部が切断時刻における経過時間および基準時間のいずれか短い時間を予め決められた短縮率で短縮させた経過時間をその再投入時刻における新たな経過時間として判別処理を行うことにより、測定終了後の短時間のうちに電源を再投入して測定を再開する使用形態であっても、ウォーミングアップ不足を生じさせることなくウォーミングアップ時間を適正な時間に規定することができる。
【００３３】
また、請求項３記載の電子機器によれば、制御部が切断時刻から再投入時刻までの時間を超えかつ最短の所定時間を複数の所定時間の中から特定してその所定時間に対応する短縮率で上記のいずれか短い時間を短縮させることにより、計測時刻から再投入時刻までの時間に応じた経過時間分だけ短縮することができるため、測定確度を確保しつつ、ウォーミングアップに要する時間を最適な時間に規定することができる。
【図面の簡単な説明】
【図１】本発明の実施の形態に係る漏れ電流測定装置１の構成を示すブロック図である。
【図２】漏れ電流測定装置１の演算制御部１６によって実行される基準時間到達判別処理３０のフローチャートである。
【符号の説明】
１　漏れ電流測定装置
１４　タイマ
１５　表示部
１６　演算制御部
１７　ＲＯＭ
３０　基準時間到達判別処理
Ｃ１〜Ｃ３　係数
Ｉ　経過時間
Ｉａ　補正経過時間
Ｉｅ　経過時間
Ｉｊ１〜Ｉｊ３　補正判定時間
Ｉｓ　基準時間
Ｔ　計測時刻
Ｔｅ　計測時刻
【図１】
2004125729.tif 000003
【図２】
2004125729.tif 000004